(57)【特許請求の範囲】
【請求項１】
送信対象であるデータ信号における実際の１シンボル単位の境界を示すパルス波でなるタイミング信号と、当該タイミング信号の理論値に対して１／ｎ（ただしｎ＞１）の周期を有するパルス波でなる基準信号とを比較し、当該タイミング信号の各パルス間に検出された当該基準信号のパルス数と上記ｎとの差分に基づいて当該基準信号に対する当該データ信号のタイミングずれ量を算出するタイミング差分算出手段と、
上記基準信号を基に生成され上記データ信号を送出する際の１シンボル毎の送出タイミングを示すトリガ信号の間隔を、上記タイミングずれ量に基づいて調節するトリガ間隔調節手段と、
上記データ信号を格納して保持すると共に、格納した上記データ信号を上記トリガ信号に基づいた送出タイミングで送出するデータ格納手段と、
送出された上記データ信号を上記トリガ信号の間隔に基づく倍率で再標本化する再標本化手段と
を具え、
上記トリガ間隔調節手段は、
上記タイミングずれ量の算出結果を受け、当該タイミングずれ量が１クロツクタイミング以上であった場合、上記トリガ信号の間隔を一時的に１クロツクタイミング分狭め又は広げるトリガ間隔変更処理を所定時間間隔毎に繰り返すことにより上記タイミングずれ量を１クロツクタイミングづつ解消する
ことを特徴とするフイルタ装置。
【請求項２】
上記トリガ間隔調節手段は、
上記タイミングずれ量に応じて、上記送出タイミングを補正するか否かを決定する時間幅変更決定手段と、
上記送出タイミングを補正することを決定した場合に、上記タイミングずれ量をカウンタ値として保持するカウント手段と、
上記カウンタ値に応じて上記時間間隔を設定し、上記トリガ間隔変更処理を当該時間間隔毎に繰り返して上記送出タイミングを補正すると共に、当該トリガ間隔変更処理を実行する毎に上記カウンタ値を１つ減らす時間幅変更手段と
を具えることを特徴とする請求項１に記載のフイルタ装置。
【請求項３】
所定周期のパルス波でなる第１の基準信号を生成して送出する信号生成手段と、
受信信号を元の情報信号に復調すると共に当該受信信号に含まれる受信タイミング信号を検出し、当該受信タイミング信号と上記第１の基準信号との比較結果に基づいて制御信号を送出する信号復調手段と、
上記第１の基準信号及び上記制御信号の入力を受け、当該第１の基準信号を分周して第２の基準信号を生成するときの分周比を当該制御信号に応じて変更するタイミング管理手段と、
上記第２の基準信号に基づいてベースバンド信号を生成する送信シンボル生成手段と、
上記ベースバンド信号における１シンボル単位の境界を示すパルス波でなるタイミング信号と上記第1の基準信号とを比較し、当該タイミング信号が当該第１の基準信号に対して１クロツクタイミング以上でなるタイミングずれを有していることを検出した場合に、当該タイミングずれ量を算出するタイミング差分算出手段と、
上記第１の基準信号を基に生成され上記ベースバンド信号を送出する際の１シンボル毎の送出タイミングを示すトリガ信号の間隔を、上記タイミングずれ量に基づいて調節するトリガ間隔調節手段と、
上記ベースバンド信号を格納して保持すると共に、格納した上記ベースバンド信号を上記トリガ信号に基づいた送出タイミングで送出するデータ格納手段と、
送出された上記ベースバンド信号を上記トリガ信号の間隔に基づく倍率で再標本化する再標本化手段と
を具え、
上記トリガ間隔調節手段は、
上記タイミングずれ量を算出した結果、上記第１の基準信号に対して上記タイミング信号が進んでいた場合、上記トリガ信号の間隔を一時的に１クロツクタイミング分広げるトリガ間隔変更処理を第１の時間間隔毎に繰り返すことにより上記タイミングずれ量を上記１クロツクタイミングづつ解消する
ことを特徴とする無線通信端末装置。
【請求項４】
上記第１の基準信号から所定間隔毎に上記パルス波を抜き取ることにより上記第１の基準信号と非同期でなる第３の基準信号を生成するクロツク周波数変換手段
を具え、
上記信号復調手段は、
上記第１の基準信号に代えて上記第３の基準信号と上記受信タイミング信号との比較結果に基づいて上記制御信号を送出し、
上記タイミング管理手段は、
上記第１の基準信号に代えて上記第３の基準信号を分周することにより上記第２の基準信号を生成する
ことを特徴とする請求項３に記載の無線通信端末装置。
【請求項５】
上記トリガ間隔調節手段は、
上記タイミングずれ量の算出結果を受け、上記第１の基準信号に対して上記タイミング信号が進んでいた場合又は遅れていた場合に、上記ベースバンド信号の上記送出タイミングを補正するか否かを決定する補正決定手段と、
上記第１の基準信号に対して上記タイミング信号が進んでいた場合の上記タイミングずれ量を第１のカウンタ値として保持する第１のカウント手段と、
上記第１の基準信号に対して上記タイミング信号が遅れていた場合の上記タイミングずれ量を第２のカウンタ値として保持する第２のカウント手段と、
上記第２のカウンタ値に応じて第２の時間間隔を設定し、当該第２の時間間隔毎に当該第２のカウンタ値に基づいて上記第１及び第２のカウンタ値をそれぞれ１つ減らすカウンタ値変更手段と、
上記第１のカウンタ値に応じて上記第１の時間間隔を設定し、上記トリガ間隔変更処理を当該第１の時間間隔毎に繰り返して上記タイミングずれ量を上記１クロツクタイミングづつ縮めることにより上記送出タイミングを補正すると共に、当該トリガ間隔変更処理を実行する毎に上記第１のカウンタ値を１つ減らす時間幅変更手段と
を具えることを特徴とする請求項３に記載の無線通信端末装置。
【請求項６】
上記第１の基準信号は、
19.8[MHz] の周波数でなる
ことを特徴とする請求項３に記載の無線通信端末装置。
【発明の詳細な説明】
【０００１】
【目次】
以下の順序で本発明を説明する。
発明の属する技術分野
従来の技術（図８〜図１１）
発明が解決しようとする課題
課題を解決するための手段
発明の実施の形態
（１）第１実施例（図１〜図３）
（２）第２実施例（図４〜図７）
（３）他の実施例
発明の効果
【０００２】
【発明の属する技術分野】
本発明はフイルタ装置及び無線通信端末装置に関し、例えば利用周波数帯が限定された伝送路を介して通信する無線通信システムで用いられるフイルタ装置及び無線通信端末装置に適用して好適なものである。
【０００３】
【従来の技術】
従来、この種の無線通信端末装置においては、送信するデータ信号（以下、これをベースバンド信号と呼ぶ）をデイジタル信号の状態で生成する。無線通信端末装置は生成したベースバンド信号にフイルタリング処理を施して、所定の周波数帯域内に帯域制限する。その後、無線通信端末装置はベースバンド信号をデイジタル・アナログ変換して所定の変調処理を行い、これにより得られる搬送波を利用周波数帯の限定された所定の伝送路を介して送信する。
【０００４】
図８は全体として例えば携帯電話のような無線通信端末装置内に設けられたフイルタ装置（以下、これを送信フイルタと呼ぶ）周辺の回路構成を示し、発振器１で生成したクロツク信号Ｓ１を基準クロツクとして送信フイルタ２に供給する。また送信シンボル生成部３は送信対象となるベースバンド信号Ｓ２を生成して送信フイルタ２に送出する。なお米国で提案されている携帯電話を用いた情報通信システムであるＣＤＭＡ−ＰＣＳにおいては、ＡＮＳＩ規格のＪ−ＳＴＤ−008 からベースバンド信号Ｓ２の周波数は1.2288[MHz] と規定されており、この規格に準拠した当該無線通信端末装置ではこの周波数でベースバンド信号Ｓ２を生成するようになされている。またクロツク信号Ｓ１の周波数は、ベースバンド信号Ｓ２を送信フイルタ２で４倍オーバーサンプリングするために、ベースバンド信号Ｓ２の４倍の周波数でなる4.9152[MHz] で生成するようになされている。因みにクロツク信号Ｓ１の周波数は必ずしも4.9152[MHz] とは限らず、ベースバンド信号Ｓ２をオーバーサンプリングする倍率に応じて生成すればよい。
【０００５】
送信フイルタ２は再標本化器４、デイジタルフイルタ５及びデイジタル・アナログコンバータ（以下、これをＤ／Ａコンバータと呼ぶ）６からなり、発振器１から与えられるクロツク信号Ｓ１に基づいて駆動する。送信フイルタ２は送信シンボル生成部３から与えられるベースバンド信号Ｓ２を再標本化器４に入力する。再標本化器４は基準クロツクとして与えられているクロツク信号Ｓ１の周波数に応じた倍率、すなわちクロツク信号Ｓ１とベースバンド信号Ｓ２との比でなる所定の整数倍でオーバーサンプリング処理する。再標本化器４は、こうしたオーバーサンプリング処理によつて得られたパルス信号Ｓ３をデイジタルフイルタ５に送出する。デイジタルフイルタ５はパルス信号Ｓ３を所定の周波数特性にしたがつて量子化する。デイジタルフイルタ５は、こうして量子化により得られた量子化信号Ｓ４をＤ／Ａコンバータ６に送出する。Ｄ／Ａコンバータ６は量子化信号Ｓ４をアナログ信号でなる送信信号Ｓ５に変換する。この後、無線通信端末装置はアナログローパスフイルタ（図示せず）によつて送信信号Ｓ５から所定の周波数帯域だけを抽出して出力送信する。
【０００６】
すなわち図９（Ａ）に示すように、送信シンボル生成部３で生成したベースバンド信号Ｓ２は1.2288[MHz] のインパルス列であり、これを周波数軸上で見た場合、1.2288[MHz] 幅でなる１帯域が1.2288[MHz] おきに繰り返し現れる。
図９（Ｂ）に示すように、再標本化器４はベースバンド信号Ｓ２を1.2288[MHz] の４倍の周波数である4.9152[MHz] でオーバーサンプリングすることによりベースバンド信号Ｓ２の１帯域を4.9152[MHz] 幅に広げている。この4.9152[MHz] 幅の１帯域には元の1.2288[MHz] でなる情報が４つ分含まれている。このようなオーバーサンプリングは、具体的には、ベースバンド信号Ｓ２のインパルス列間に「０」である情報を３つつめることによりなされる（図中、各インパルス間の点の部分）。
図９（Ｃ）に示すように、こうしてオーバーサンプリングにより得られたパルス信号Ｓ３はデイジタルフイルタ５によつて帯域が狭められる。こうして帯域制限して得られる量子化信号Ｓ４をＤ／Ａコンバータ６を介して送出することにより、送信フイルタ２は図中に示す包絡線を形成する信号を送出する。無線通信端末装置は、こうして送信フイルタ２から送出した信号をアナログローパスフイルタを介して出力することにより、所定の周波数帯域だけを抽出して出力する。
【０００７】
無線通信端末装置は、このように送信フイルタ２で所定倍率のオーバーサンプリング処理を施すことによりベースバンド信号Ｓ２の各周波数帯域間の間隔を広げることができ、アナログローパスフイルタによる所定の周波数帯域の抽出を高精度な周波数特性を要せずに容易に行うことができる。このため、こうした無線通信端末装置ではアナログローパスフイルタに求められる特性を軽減して負荷を減らすことができる。
【０００８】
またセルラーシステム等で代表されるように無線通信端末装置と基地局との間で無線通信を行う無線通信システムでは、無線通信端末装置は通信の相手側と送信信号の送信タイミングを同期させるようになされている。特に送信信号の多重化方式としてＣＤＭＡ（Code Division Multiple Access 、符号分割多重アクセス）方式を用いているシステムでは、精度の高いタイミング同期が必要となつている。
【０００９】
図８との対応部分に同一符号を付した図１０において、１０は全体としてＣＤＭＡ方式による無線通信端末装置を示し、基地局を介して相手側から送られてくる信号を受信すると共に、受信信号のタイミングに応じて決定した送信タイミングで送信信号Ｓ５を相手側に送信するようになされている。
無線通信端末装置１０は、アナログ信号でなる受信信号Ｓ６をアナログ／デイジタル変換器１１（以下、これをＡ／Ｄコンバータ１１と呼ぶ）に入力してデイジタル信号Ｓ７に変換する。Ａ／Ｄコンバータ１１は得られたデイジタル信号Ｓ７を復調器１２に送出する。復調器１２は送信側で所定の変調方式による変調がなされているデイジタル信号Ｓ７を復調し、情報が格納されたパケツトデータである受信シンボルＳ８として受信シンボル処理部１３に送出する。またこの際、復調器１２はデイジタル信号Ｓ７のタイミングを検出して、検出結果に応じた電圧レベルでなる制御信号Ｓ９を送出する。受信シンボル処理部１３は受信シンボルＳ８を音声信号等の出力信号に変換して出力する。なおＡ／Ｄコンバータ１１、復調器１２及び受信シンボル処理部１３には発振器１からクロツク信号Ｓ１が供給されており、クロツク信号Ｓ１を基準クロツクとするタイミングで駆動するようになされている。
【００１０】
一方、送信用クロツク生成部１４は制御信号Ｓ９の電圧レベルに応じた周波数で基準クロツク信号Ｓ１０を生成して送信シンボル生成部３に供給すると共に、基準クロツク信号Ｓ１０の整数倍の周波数でなる基準クロツク信号Ｓ１１を生成して送信フイルタ２に供給する。具体的には送信用クロツク生成部１４はＶＣＯ（Voltage Controlled Oscilator）でなり、生成する基準クロツク信号Ｓ１０の周波数を制御信号Ｓ９の電圧レベルに応じて変更するようになされている。なお基準クロツク信号Ｓ１１の周波数は基準クロツク信号Ｓ１０の周波数に対して、送信フイルタ２で施されるオーバーサンプリングの倍率に応じた整数倍で生成するようになされる。
【００１１】
送信シンボル生成部３は基準クロツク信号Ｓ１０に基づいて、送信シンボルであるベースバンド信号Ｓ２を生成して送信フイルタ２に送出する。送信フイルタ２はベースバンド信号Ｓ２を再標本化器４に入力して、基準クロツク信号Ｓ１１の周波数に基づく倍率でオーバーサンプリングする。また送信フイルタ２は、こうして得られたパルス信号Ｓ３をデイジタルフイルタ５に供給して帯域を狭める。さらに送信フイルタ２は、帯域を狭めて得られる量子化信号Ｓ４をＤ／Ａコンバータ６を介してアナログ信号でなる送信信号Ｓ５に変換する。無線通信端末装置１０は、送信信号Ｓ５を送信フイルタ２から送出した後、アナログローパスフイルタ（図示せず）によつて所定の周波数帯域だけを抽出して出力する。
【００１２】
ところで上述したように、無線通信端末装置１０は送信信号Ｓ５を送信するタイミングを受信信号Ｓ６から得られるタイミングと同期させるようになされている。このため無線通信端末装置１０は受信信号Ｓ６をＡ／Ｄ変換して得られるデイジタル信号Ｓ７から復調器１２によつてタイミング情報を抽出し、当該無線通信端末装置１０内のタイミング情報との相違の有無を検出する。検出結果によつて受信信号Ｓ６から得られるタイミング情報と内部のタイミング情報との間に差異が認められた場合、無線通信端末装置１０は内部のタイミングを調整してずれを解消する。具体的には復調器１２から送出する制御信号Ｓ９によつて送信用クロツク生成部１４が生成する基準クロツク信号Ｓ１０及びＳ１１の周波数を一時的に変更して、内部のタイミングを受信信号Ｓ６から得られるタイミング情報に同期させる。
【００１３】
図１０との対応部分に同一符号を付した図１１は、全体として復調器１２の内部構成を示し、入力したデイジタル信号Ｓ７を復調部１５〜１７、及び同期捕捉／追跡回路１８に供給する。同期捕捉／追跡回路１８は、デイジタル信号Ｓ７に掛け合わせる所定の拡散系列の最適な位相を検出して各復調部１５〜１７に通知する。各復調部１５〜１７は同期捕捉／追跡回路１８で検出した位相でデイジタル信号Ｓ７に所定の拡散系列を掛け合わせる。
すなわち無線通信端末装置１０で受信される受信信号Ｓ６は送信側で情報信号に拡散系列を掛け合わせて生成された信号であり、また伝送経路上でマルチパス等の作用によつて元の送信信号に振幅が弱まり位相のずれた自身の信号が加算されたものとなつている。このため復調器１２は同期捕捉／追跡回路１８で、送信側で掛け合わされたものと同一の拡散系列を位相をずらしながらデイジタル信号Ｓ７に掛け合わせる。このようにずらしながら掛け合わせる拡散系列の位相と、送信側で掛け合わされた拡散系列の位相とが等しくなつた場合、その相関値がピークポイントとして現れる。このように拡散系列の位相をずらしながら掛け合わせることで最も相関値の高いピークポイントを容易に検出することができ、デイジタル信号Ｓ７に掛け合わせる拡散系列の最適な位相を得ることができる。
【００１４】
また無線通信端末装置１０で受信される受信信号Ｓ６は上述したようにマルチパス等の作用によつて位相のずれた複数の信号を含んでいるため、こうして位相をずらしながら拡散系列を掛け合わせた場合、相関値のピークポイントが複数得られることになる。
同期捕捉／追跡回路１８は、こうして得られる複数のピークポイントから特に高いピーク値が得られる位相を３つ選択し、位相情報信号Ｓ１２として各復調部１５〜１７に１つづつ分配して通知する。各復調部１５〜１７は各々通知された位相で拡散系列を掛け合わせてデイジタル信号Ｓ７の復調を行い、得られた情報信号を信号合成部１９に送出する。信号合成部１９は与えられる情報信号の位相合わせを行い、各々の信号強度に応じて重み付けを行つて各情報信号を合成し、受信シンボルＳ８として出力する。
【００１５】
さらに無線通信端末装置の移動等により伝送経路のパスが一部遮断され、こうして検出した特に高いピーク値が得られる３つの位相のうち幾つかが検出不可能なレベルに低下する場合がある。同期捕捉／追跡回路１８はデイジタル信号Ｓ７から常時高いピーク値を得られる位相を検出しており、このように各復調部１５、１６又は１７でデイジタル信号Ｓ７の復調に用いている位相が検出不可能なレベルになつた場合、新たに高いピーク値が得られる位相を選択して各復調部１５〜１７に通知し直す。
【００１６】
またＣＤＭＡ方式による無線通信端末装置では送信信号Ｓ５を送信するタイミングを、上述した特に高いピーク値が得られる３つの位相のうち最も早く到着した位相のタイミングに基づいて決定している。ここでこのような最も早く到着した特に高いピーク値が得られる位相のタイミングは、上述したような伝送経路のパスの遮断又はソフトハンドオフ等により瞬時的に変動する場合がある。このような場合、無線通信端末装置１０（図１０）は同期捕捉／追跡回路１８で最も早く到着した高いピーク値の得られる位相のタイミングを新たに検出し、これに応じて制御信号Ｓ９を送信用クロツク生成部１４に送出する。送信用クロツク生成部１４は制御信号Ｓ９に基づいて基準クロツク信号Ｓ１０及びＳ１１の周波数を早めたり又遅くしたりすることで送信信号Ｓ５を送信するタイミングを制御する。
【００１７】
無線通信端末装置１０は、このように受信信号Ｓ６のタイミングに基づいて送信信号Ｓ５の送信タイミングを決定することにより送信信号Ｓ５を相手側が送信する信号のタイミングと同期するようになされていると共に、伝送経路のパスが遮断される等して送信信号Ｓ５の送信タイミングが変動した場合、新たに受信信号Ｓ６に基づいて得られるタイミングに応じて基準クロツク信号Ｓ１０及びＳ１１の周波数を調節することにより送信タイミングの同期を確保し続け得るようになされている。
【００１８】
【発明が解決しようとする課題】
ところでかかる構成の無線通信端末装置１０においては、上述したように受信信号Ｓ６から得られるタイミングで送信信号Ｓ５の送信タイミングを決定し、これに応じて送信用クロツク生成部１４が生成する基準クロツク信号Ｓ１０の周波数を制御してベースバンド信号Ｓ２を生成するようになされている。こうした制御によつて送信タイミングを変更する場合、復調器１２は送出する制御信号Ｓ９の電圧レベルを変化させてＶＣＯである送信用クロツク生成部１４に供給するようになされている。これにより送信用クロツク生成部１４が生成する基準クロツク信号Ｓ１０及びＳ１１の周波数を制御することができ、送信タイミングを受信信号Ｓ６のタイミングに同期し得る。
ところがＶＣＯは一般に微小な電圧レベルの変化で大きく出力を変化するため、電圧レベルの制御には高い精度が要求されるという問題がある。
【００１９】
またこのように受信信号Ｓ６のタイミングに同期させるために基準クロツク信号Ｓ１０の周波数を制御して変更した場合、送信シンボル生成部３はベースバンド信号Ｓ２の１シンボル単位あたりの時間幅を変更する。例えば送信タイミングを早める場合、送信シンボル生成部３はクロツク信号Ｓ１のタイミングに対するベースバンド信号Ｓ２の１シンボル単位の時間幅を一時的に狭める。また送信タイミングを遅める場合は１シンボル単位の時間幅を一時的に広げる。無線通信端末装置１０は、このようにして送信信号Ｓ５の送信タイミングを変更する。
しかしこのようにして生成するベースバンド信号Ｓ２には実際には比較的高いレベルのジツタ成分が含まれることになり、このため送信信号Ｓ５にスペクトルの歪みが生じるという問題がある。
【００２０】
また伝送経路のパスが遮断される等により、新たに受信信号Ｓ６に基づいて得られるタイミングに送信信号Ｓ５の送信タイミングを変更して同期させる際、新たな送信タイミングが以前のタイミングに比して急激かつ比較的大きく変動する場合も考えられる。このような場合、基地局における追従を確実に行わせるためには、新たに、送信タイミングの変動を緩やかにさせる制御が必要とされる。
【００２１】
本発明は以上の点を考慮してなされたもので、確実な信号伝送を維持しながら、ジツタ成分に起因するスペクトルの歪みを容易に低減し得るフイルタ装置及び無線通信端末装置を提案しようとするものである。
【００２２】
【課題を解決するための手段】
かかる課題を解決するため本発明においては、送信対象であるデータ信号における実際の１シンボル単位の境界を示すパルス波でなるタイミング信号と、当該タイミング信号の理論値に対して１／ｎの周期を有するパルス波でなる基準信号とを比較し、当該タイミング信号の各パルス間に検出された当該基準信号のパルス数と上記ｎとの差分に基づいて当該基準信号に対する当該データ信号のタイミングずれ量を算出するタイミング差分算出手段と、基準信号を基に生成されデータ信号を送出する際の１シンボル毎の送出タイミングを示すトリガ信号の間隔を、タイミングずれ量に基づいて調節するトリガ間隔調節手段と、データ信号を格納して保持すると共に、格納したデータ信号をトリガ信号に基づいた送出タイミングで送出するデータ格納手段と、送出されたデータ信号をトリガ信号の間隔に基づく倍率で再標本化する再標本化手段とを設け、トリガ間隔調節手段は、タイミングずれ量の算出結果を受け、当該タイミングずれ量が１クロツクタイミング以上であった場合、トリガ信号の間隔を一時的に１クロツクタイミング分狭め又は広げるトリガ間隔変更処理を所定時間間隔毎に繰り返すことによりタイミングずれ量を１クロツクタイミングづつ解消する。
【００２３】
基準信号に対してデータ信号を送信する際の１シンボル毎の送出タイミングにタイミングずれが生じた場合、タイミングずれ量に応じて１クロツクタイミングづつデータ信号の送出タイミングを狭め又は広げるトリガ間隔変更処理を繰り返して送出タイミングを徐々に補正することができるので、タイミングずれによりデータ信号に含まれるジツタ成分を時間方向に分散させることができる。
【００２４】
また本発明においては、所定周期のパルス波でなる第１の基準信号を生成して送出する信号生成手段と、受信信号を元の情報信号に復調すると共に当該受信信号に含まれる受信タイミング信号を検出し、当該受信タイミング信号と第１の基準信号との比較結果に基づいて制御信号を送出する信号復調手段と、第１の基準信号及び制御信号の入力を受け、当該第１の基準信号を分周して第２の基準信号を生成するときの分周比を当該制御信号に応じて変更するタイミング管理手段と、第２の基準信号に基づいてベースバンド信号を生成する送信シンボル生成手段と、ベースバンド信号における１シンボル単位の境界を示すパルス波でなるタイミング信号と第1の基準信号とを比較し、当該タイミング信号が当該第１の基準信号に対して１クロツクタイミング以上でなるタイミングずれを有していることを検出した場合に、当該タイミングずれ量を算出するタイミング差分算出手段と、第１の基準信号を基に生成されベースバンド信号を送出する際の１シンボル毎の送出タイミングを示すトリガ信号の間隔を、タイミングずれ量に基づいて調節するトリガ間隔調節手段と、ベースバンド信号を格納して保持すると共に、格納したベースバンド信号をトリガ信号に基づいた送出タイミングで送出するデータ格納手段と、送出されたベースバンド信号をトリガ信号の間隔に基づく倍率で再標本化する再標本化手段とを設け、トリガ間隔調節手段は、タイミングずれ量を算出した結果、第１の基準信号に対してタイミング信号が進んでいた場合、トリガ信号の間隔を一時的に１クロツクタイミング分広げるトリガ間隔変更処理を第１の時間間隔毎に繰り返すことによりタイミングずれ量を１クロツクタイミングづつ解消する。
【００２５】
第１の基準信号に対してタイミング信号が進んでいた場合、タイミングずれ量に応じて１クロツクタイミングづつデータ信号の送出タイミングを狭め又は広げるトリガ間隔変更処理を繰り返して送出タイミングを徐々に補正することができるので、タイミングずれによりデータ信号に含まれるジツタ成分を時間方向に分散させることができる。
【００２６】
【発明の実施の形態】
以下図面について、本発明の一実施例を詳述する。
【００２７】
（１）第１実施例
図１０との対応部分に同一符号を付した図１において、送信フイルタ２０は発振器１が生成するクロツク信号Ｓ１を入力し、再標本化器２１、デイジタルフイルタ５及びＤ／Ａコンバータ６にそれぞれ供給する。また送信シンボル生成部２２は送信対象となるベースバンド信号Ｓ２及びベースバンド信号Ｓ２の１シンボル単位毎の境界を示すタイミング信号Ｓ１３を生成し、共に送信フイルタ２０に送出する。
【００２８】
送信フイルタ２０は、送信シンボル生成部２２から供給されるベースバンド信号Ｓ２及びタイミング信号Ｓ１３を再標本化器２１に入力する。ここで再標本化器２１には予め、ベースバンド信号Ｓ２を何倍でオーバーサンプリングするか及びオーバーサンプリング倍率を変更する場合の制御手順を記憶してある。具体的には再標本化器２１はベースバンド信号Ｓ２を１６倍オーバーサンプリングするようになされており、また倍率を変更する場合の制御手順は後述する設定で記憶してある。
【００２９】
再標本化器２１は入力されたタイミング信号Ｓ１３とクロツク信号Ｓ１とを比較して、ベースバンド信号Ｓ２の１シンボル単位の時間幅がクロツク信号Ｓ１のクロツクタイミング幾つ分に相当するか、すなわちクロツク信号Ｓ１のパルス幾つ分であるかを算出する。具体的には再標本化器２１はタイミング信号Ｓ１３に示されるパルス波、すなわちベースバンド信号Ｓ２における１シンボル単位の開始位置を検出した際にクロツク信号Ｓ１のパルス検出を開始し、タイミング信号Ｓ１３から再度パルス波を検出するまでの間のクロツクパルス数を計数する。再標本化器２１は算出結果が１６である場合、そのままベースバンド信号Ｓ２を１６倍オーバーサンプリング処理し、得られたパルス信号Ｓ３をデイジタルフイルタ５に送出する。
【００３０】
一方、算出結果が１６で無い場合、再標本化器２１はオーバーサンプリング倍率を一時的に変更して、送信信号Ｓ５の送信タイミングを変更するための処理を行う。
図２（Ａ）に示すように、例えばクロツク信号Ｓ１の１６パルス分に相当する時間幅を１シンボル単位としてベースバンド信号Ｓ２が入力されている際に、一時的に１２パルス分に相当する時間幅で１シンボル単位が入力したとする。この場合、再標本化器２１は１６倍でオーバーサンプリングしている倍率を一時的に１５倍に変更して送信タイミングを早める。この後、１６倍にオーバーサンプリング倍率を戻し、所定時間経過した後に再度１５倍にオーバーサンプリング倍率を変更する。こうして数回（この場合は計４回）、所定時間毎に１５倍オーバーサンプリング処理を繰り返すことにより、再標本化器２１はベースバンド信号Ｓ２に生じたタイミングずれを徐々に解消する。
【００３１】
また図２（Ｂ）に示すように、クロツク信号Ｓ１の１６パルス分に相当する時間幅を１シンボル単位としてベースバンド信号Ｓ２が入力されている際に、一時的に２０パルス分に相当する時間幅で１シンボル単位が入力したとする。この場合、再標本化器２１は１６倍でオーバーサンプリングしている倍率を一時的に１７倍に変更して送信タイミングを遅くする。この後、１６倍にオーバーサンプリング倍率を戻し、所定時間経過した後に再度１７倍にオーバーサンプリング倍率を変更する。こうして数回（この場合は計４回）、所定時間毎に１７倍オーバーサンプリング処理を繰り返すことにより、再標本化器２１はベースバンド信号Ｓ２に生じたタイミングずれを徐々に解消する。
【００３２】
このように再標本化器２１は、ベースバンド信号Ｓ２のオーバーサンプリング倍率を一時的に変更して送信タイミングを調節し、タイミングずれ量を時間方向に分散させて徐々に解消してジツタ成分を抑制する。再標本化器２１は、こうして得られたパルス信号Ｓ３をデイジタルフイルタ５に送出する。デイジタルフイルタ５はパルス信号Ｓ３をクロツク信号Ｓ１の周波数に基づいてフイルタリング処理し、得られる量子化信号Ｓ４をＤ／Ａコンバータ６に送出する。Ｄ／Ａコンバータ６は量子化信号Ｓ４をアナログ信号に変換して送信信号Ｓ５として出力する。
【００３３】
図３は再標本化器２１の内部構成の一部を示し、以下に説明する構成によつてベースバンド信号Ｓ２のオーバーサンプリング倍率の変更、すなわち送信信号Ｓ５の送信タイミング調節を行う。再標本化器２１は発振器１（図１）から供給されるクロツク信号Ｓ１をタイミング検出部２３及び間隔監視部２４に入力すると共に、送信シンボル生成部２２（図１）から与えられるタイミング信号Ｓ１３をタイミング検出部２３に、ベースバンド信号Ｓ２をバツフア部２５にそれぞれ供給する。なお、ここでクロツク信号Ｓ１の周波数とベースバンド信号Ｓ２の周波数とは同期している（クロツク信号Ｓ１の周波数がベースバンド信号Ｓ２の周波数の整数倍である）ものとする。
タイミング検出部２３はタイミング信号Ｓ１３及びクロツク信号Ｓ１の各パルス波を検出して、ベースバンド信号Ｓ２の各１シンボル単位当たりのクロツク信号Ｓ１のパルス数を検出する。こうしてタイミング検出部２３はベースバンド信号Ｓ２の各１シンボル単位の時間幅がクロツク信号Ｓ１のパルス幾つ分の間隔であるかを算出し、算出結果を間隔変更決定部２６に通知する。
【００３４】
間隔変更決定部２６は当該算出結果を受けて、各１シンボル単位毎にクロツク信号Ｓ１のパルス１６個分の間隔であるか否かを判定する。ここでクロツク信号Ｓ１のパルス１６個分の間隔であると判定した１シンボル単位に関して、間隔変更決定部２６は何も行わない。
このように何も指示が無い場合、間隔監視部２４は初期設定通り１６倍のオーバーサンプリング倍率に応じた処理としてクロツク信号Ｓ１のパルスが１６回入力される毎に１回、トリガ信号をバツフア部２５に送出する。バツフア部２５は入力されるベースバンド信号Ｓ２を一時格納するようになされており、トリガ信号の入力に応じてベースバンド信号Ｓ２をオーバーサンプリングの倍率に応じた時間幅でなる１シンボル単位で送出する。この場合、オーバーサンプリング倍率が１６倍であるため、クロツク信号Ｓ１のパルスが１６回入力される間隔を１シンボル単位の時間幅としてベースバンド信号Ｓ２を送出する。
【００３５】
一方、クロツク信号Ｓ１のパルス１６個分の間隔で無いと判定した場合、間隔変更決定部２６はクロツク信号Ｓ１のパルス１６個分の時間幅に対してベースバンド信号Ｓ２の１シンボル単位が幾つ分ずれを有しているかを算出し、カウンタ２７に通知する。例えば一時的にクロツク信号Ｓ１のパルス１２個分の時間幅でなる１シンボル単位（図２（Ａ））でベースバンド信号Ｓ２が入力された場合（すなわちタイミングを早める場合）、間隔変更決定部２６はクロツク信号Ｓ１のパルス１６個分の時間幅に対するベースバンド信号Ｓ２の１シンボル単位のずれを「４」としてカウンタ２７に通知する。なお、ここではタイミングを遅らせる方向をプラス、早める方向をマイナスとしている。
【００３６】
カウンタ２７は間隔変更決定部２６から与えられるクロツク信号Ｓ１に対するベースバンド信号Ｓ２のタイミングずれ分の情報をカウンタ値として保持している。カウンタ２７は、このカウンタ値を間隔監視部２４に通知すると共に、間隔監視部２４からバツフア２５に向けて、クロツク信号Ｓ１のタイミングでパルス１個分、間隔を狭めてトリガ信号を１回送出したことを示す通知を受けるとカウンタ値を１つ減らして更新する。また間隔変更決定部２６から新たにタイミングずれ分の情報が与えられると、その時点で保持しているカウンタ値に新たなタイミングずれ分を加算して更新を行う。カウンタ２７はカウンタ値を更新する度に、新たなカウンタ値を間隔監視部２４に通知する。
【００３７】
間隔監視部２４はカウンタ２７から通知されるカウンタ値に応じてオーバーサンプリングの倍率を変更するためにバツフア部２５を制御して、送出するベースバンド信号Ｓ２の１シンボル単位毎の時間幅を調節する。具体的には以下に説明するような手順によつてなされる。
まず間隔監視部２４には予め通知されるカウンタの値に応じた時間間隔が各々記憶設定してある。例えばカウンタ値により通知されるクロツク信号Ｓ１に対するベースバンド信号Ｓ２のタイミングずれ数がプラス方向又はマイナス方向に「３」以上である場合、時間間隔を200 とする。またタイミングずれ数がプラス方向又はマイナス方向に「２」である場合、時間間隔を300 とする。またタイミングずれ数がプラス方向又はマイナス方向に「１」である場合、時間間隔を400 とする。間隔監視部２４はクロツク信号Ｓ１を随時検出すると共に、カウンタ２７からカウンタ値を受けた際に上述のようなカウンタ値に応じた時間間隔を設定する。間隔監視部２４は、前回シンボル間隔を変更してから、どれくらい時間が経過したかを、クロツク信号Ｓ１のパルス数でカウントしており、上述のように定めた時間間隔と、前回シンボル間隔を変更してからどれくらい時間が経過したかと、カウンタ２７から通知されたカウンタ値とを鑑みて、シンボル間隔の変更を行う。
【００３８】
間隔監視部２４は、カウンタ２７からカウンタ値の通知を受けると、タイミングずれを修正する処理、すなわちオーバーサンプリングの倍率を変更する処理を開始する。間隔監視部２４はカウンタ２７から通知されたカウンタ値と前回ベースバンド信号Ｓ２の時間幅を変更してから経過した時間（クロツク信号Ｓ１のパルス波の入力回数）とを、上述したカウンタ値に応じた所定の時間間隔に照らし合わせる。これにより、通知されたカウンタ値に応じた時間間隔に対して、経過時間が十分に大きい場合、間隔監視部２４はオーバーサンプリングの倍率を変更したタイミングでバツフア部２５にトリガ信号を送出する。具体的にはカウンタ値がプラスの場合（タイミングを遅らせる場合）、クロツク信号Ｓ１のパルス１７個分の時間間隔でトリガ信号を送出し、カウンタ値がマイナスの場合（タイミングを早める場合）、クロツク信号Ｓ１のパルス１５個分の時間間隔でトリガ信号を送出する。
【００３９】
一方、通知されたカウンタ値に応じた時間間隔に対して、経過時間が小さい場合、間隔監視部２４は当該時間間隔が経過するまで待機して、経過後に上述したオーバーサンプリングの倍率を変更したタイミングでバツフア部２５にトリガ信号を送出する。また間隔監視部２４は、こうしたトリガ信号の送出に伴つてカウンタ２７にカウンタ値を変更する旨を通知する。カウンタ２７は通知に応じて、カウンタ値を＋１又は−１して更新する。なお、オーバーサンプリングの倍率を変更しない場合、すなわちカウンタ２７に格納されたカウンタ値が０の場合、又は前回オーバーサンプリングの倍率を変更してから十分な時間が経過していない場合、間隔監視部２４はクロツク信号Ｓ１のパルス波１６個分の時間間隔でトリガ信号を送出する。
【００４０】
こうして間隔監視部２４から送出されるトリガ信号に応じて、バツフア部２５は一時格納したベースバンド信号Ｓ２を各時間幅の１シンボル単位毎に送出する。送出されたベースバンド信号Ｓ２はオーバーサンプリング部（図示せず）に供給されて、各々の時間幅でなる１シンボル単位に応じた倍率でオーバーサンプリング処理がなされる。
このように再標本化器２１は入力されるベースバンド信号Ｓ２にクロツク信号Ｓ１に対するタイミングずれを検出した場合、一時的に１シンボル単位の時間幅を変更して、これを所定の時間間隔毎に所定回数繰り返すことにより、ずれたタイミングを徐々に解消していくようになされている。
【００４１】
以上の構成において、送信シンボル生成部２２により生成されたベースバンド信号Ｓ２は、同じく送信シンボル生成部２２により生成されるタイミング信号Ｓ１３と共に送信フイルタ２０に入力される。ここでベースバンド信号Ｓ２の１シンボル単位はクロツク信号Ｓ１のパルス波１６個分の時間幅となるようになされているが、この時間幅が送信タイミングの変更により一時的にかつ急激に広くなつたり狭くなつたりする場合がある。このような時間幅の変動はベースバンド信号Ｓ２に含まれるジツタ成分となり、こうしたジツタ成分を含むベースバンド信号Ｓ２のシンボルタイミングに準じてオーバーサンプリングした場合、出力される送信信号Ｓ５にスペクトルの歪みが生じることになる。
【００４２】
このため送信フイルタ２０はベースバンド信号Ｓ２の１シンボル単位の時間幅が一時的に変動してクロツク信号Ｓ１に対してタイミングずれを生じた場合、クロツク信号Ｓ１に対するベースバンド信号Ｓ２のタイミングずれ量に応じて再標本化器２１によりオーバーサンプリングの倍率を一時的に変更する。これにより送信フイルタ２０はクロツク信号Ｓ１に対するタイミングずれを解消することができ、送信信号Ｓ５に生じるスペクトルの歪みを容易に低減し得る。
【００４３】
また送信フイルタ２０は再標本化器２１によるオーバーサンプリング倍率の変更の際に１６倍でなるオーバーサンプリングの倍率を１７倍又は１５倍に変更し、これをずれ量に応じた所定回数分、所定の時間間隔毎に繰り返して徐々にタイミングを合わせるようになされている。
例えば通常、１シンボル単位の時間幅がクロツク信号Ｓ１の１６パルス幅分でなるベースバンド信号Ｓ２に、一時的にクロツク信号Ｓ１の２０パルス幅分の１シンボル単位が生じたとする。これを一時に解消するため、オーバーサンプリング倍率を２０倍に変更すれば１度の倍率変更でタイミング合わせ処理を終えることができる。しかしこのように瞬間的かつ大幅にオーバーサンプリングの倍率を変更して送信信号Ｓ５の送信タイミングを変更した場合、送信タイミングの変動速度がＡＮＳＩ規格のＪ−ＳＴＤ−008 に規定された基地局側によるタイミング変動に対する追従速度を大幅に逸脱し、基地局側で送信信号Ｓ５を追従しきれなくなる場合が生じ、また送信信号Ｓ５に大きなスペクトルの歪みが生じることになる。
【００４４】
送信フイルタ２０は再標本化器２１によるオーバーサンプリング倍率の変更によつて送信タイミングを一時的に変更する際、タイミング検出部２３及び間隔変更決定部２６によつてクロツク信号Ｓ１に対するベースバンド信号Ｓ２の１シンボル単位毎のタイミングずれ量を検出する。検出したタイミングずれ量はカウンタ２７に通知されて管理され、＋１又は−１でオーバーサンプリング倍率を変更して、これをタイミングずれ量に応じた回数繰り返す。また検出されたタイミングずれ量に応じて間隔変更決定部２６が決定する所定時間間隔が間隔監視部２４によつて管理され、この時間間隔毎にオーバーサンプリング倍率の変更を行う。このように＋１又は−１して行うオーバーサンプリング倍率の変更を、タイミングずれ量に応じた回数かつタイミングずれ量に応じた時間間隔毎に繰り返すことで、送信フイルタ２０はベースバンド信号Ｓ２に生じたタイミングずれを徐々に解消する。これにより送信フイルタ２０は、送信信号Ｓ５の送信タイミングの変動速度がＡＮＳＩ規格のＪ−ＳＴＤ−008 に規定されている基地局側の追従速度を逸脱することを防止して、確実な送信信号Ｓ５の伝送を維持し得る。
【００４５】
以上の構成によれば、ベースバンド信号Ｓ２の各１シンボル単位毎のクロツク信号Ｓ１に対する時間幅をタイミング検出部２３でタイミング信号Ｓ１３から検出して、クロツク信号Ｓ１に基づく１６倍オーバーサンプリングに適合しない時間幅の１シンボル単位が生じたことを検出した場合、間隔監視部２４で監視しながら間隔変更決定部２６により設定する時間間隔毎に、かつ１６倍オーバーサンプリングに適合する時間幅とのタイミングずれ数に応じた回数に分けて、バツフア部２５に一時格納したベースバンド信号Ｓ２をクロツク信号Ｓ１のパルス数１５又は１７個分の時間幅で送出する。
【００４６】
これにより送信フイルタ２０はベースバンド信号Ｓ２に１６倍オーバーサンプリングに適合しない時間幅の１シンボル単位が生じて送信タイミングにずれが生じた場合、このタイミングずれを複数回に分けて徐々に解消して基地局側の追従速度を逸脱すること無く、ベースバンド信号Ｓ２のジツタ成分を除去することができ、かくして確実な信号伝送を維持しながらジツタ成分により送信信号Ｓ５に生じるスペクトルの歪みを容易に低減することができる。
【００４７】
（２）第２実施例
図１及び図３との対応部分に同一符号を付して示す図４において、３０は全体としてＣＤＭＡ方式による無線通信端末装置を示し、相手側から基地局を介して送られてきた信号を受信信号Ｓ６として受信する。無線通信端末装置３０はアナログ信号でなる受信信号Ｓ６をアナログ／デイジタル変換器１１（以下、これをＡ／Ｄコンバータ１１と呼ぶ）でデイジタル信号Ｓ７に変換して復調器３１で元の情報信号に復調し、これにより得られた受信シンボルＳ８を受信シンボル処理部１３で音声信号等に変換して出力する。また復調器３１はデイジタル信号Ｓ７の復調の際にタイミング検出を行い、検出結果に応じて送信タイミングを早めるか遅めるか判別し、変更するタイミングの変位量を情報信号Ｓ１４として送出する。なお、ここでＡ／Ｄコンバータ１１、復調器３１及び受信シンボル処理部１３には、クロツク周波数変換器３２がクロツク信号Ｓ１を周波数変換して送出する基準クロツク信号Ｓ１５が供給されており、これに基づいて駆動するようになされている。
【００４８】
発振器１は19.8[MHz] の周波数でなるクロツク信号Ｓ１を生成して、クロツク周波数変換器３２及び送信フイルタ３３に供給する。送信フイルタ３３は供給されるクロツク信号Ｓ１を再標本化器３４、デイジタルフイルタ５及びＤ／Ａコンバータ６に与える。
一方、クロツク周波数変換器３２は19.8[MHz] の周波数でなるクロツク信号Ｓ１を周波数変換して19.6608[MHz]の周波数でなる基準クロツク信号Ｓ１５を生成し、上述したようにＡ／Ｄコンバータ１１、復調器３１及び受信シンボル処理部１３に供給すると共に、時間管理部３５に供給する。すなわち無線通信端末装置３０はＣＤＭＡ方式によるものであるためにベースバンド信号Ｓ２が1.2288[MHz] であることが規定されており、このためベースバンド信号Ｓ２を生成する上で1.2288[MHz] に同期した周波数の信号が必要となつている。したがつて無線通信端末装置３０では19.8[MHz] の周波数でなるクロツク信号Ｓ１をクロツク周波数変換器３２で周波数変換することにより、1.2288[MHz] に同期した（すなわち整数倍でなる）基準クロツク信号Ｓ１５を生成するようになされている。
【００４９】
具体的にクロツク周波数変換器３２は入力したクロツク信号Ｓ１から所定間隔毎にパルス波を抜き取つて各パルス波間の間隔を擬似的に広げることにより、元の周波数に比して低い所望の周波数（この場合、19.6608[MHz]）の基準クロツク信号Ｓ１５を生成する。例えば発振器１が生成するクロツク信号Ｓ１の周波数をｆout 、これを周波数変換して生成する基準クロツク信号Ｓ１５の周波数をｆinとした場合、
【数１】
0003849891.tif 000002
からパルス波を抜き取る平均間隔を得ることができる。すなわち元の周波数と所望する周波数との差分を元の周波数に対して分散させることで、元の周波数を所望する周波数に変換する場合の平均間隔が得られる。この場合、ｆout が19.6608[MHz]であり、またｆinが19.8[MHz] あることから（１）式にこれらの値を代入して
【数２】
0003849891.tif 000003
が得られ、4125/29 の間隔でパルス波を抜き取ることで19.8[MHz] でなるクロツク信号Ｓ１を19.6608[MHz]でなる基準クロツク信号Ｓ１５に周波数変換し得ることがわかる。
【００５０】
時間管理部３５は、このようにして生成された19.6608[MHz]でなる基準クロツク信号Ｓ１５を入力して１６分周することにより、ベースバンド信号Ｓ２と同一の周波数1.2288[MHz] でなる基準クロツク信号Ｓ１６を生成して送信シンボル生成部２２に供給する。また時間管理部３５は復調器３１から与えられる情報信号Ｓ１４に応じて、送信シンボル生成部２２に供給する基準クロツク信号Ｓ１６のタイミング、すなわち周波数を一時的に変更する。この際、時間管理部３５は送信タイミングを早める場合は分周する倍率を下げて、また送信タイミングを遅める場合は分周する倍率を上げるようになされている。
【００５１】
送信シンボル生成部２２は、この基準クロツク信号Ｓ１６に基づいてベースバンド信号Ｓ２を生成すると共に、ベースバンド信号Ｓ２の１シンボル単位の時間幅を示すタイミング信号Ｓ１３を生成して、共に送信フイルタ３３に送出している。従つて例えば送信タイミングを早める場合、ベースバンド信号Ｓ２には送信タイミングを変更しない場合の時間幅に対して狭まつた時間幅の１シンボル単位が生じ、また送信タイミングを遅める場合、ベースバンド信号Ｓ２には送信タイミングを変更しない場合の時間幅に対して広がつた時間幅の１シンボル単位が生じる。
【００５２】
送信フイルタ３３は、送信シンボル生成部２２から送出されたベースバンド信号Ｓ２及びタイミング信号Ｓ１３を再標本化器３４に供給する。再標本化器３４は通常、ベースバンド信号Ｓ２の周波数に対するクロツク信号Ｓ１の周波数の比率に応じた倍率でベースバンド信号Ｓ２をオーバーサンプリングするようになされている。具体的にはベースバンド信号Ｓ２の周波数を暫定的に1.2375[MHz] であるとみなし、１６倍オーバーサンプリングするようになされている。また再標本化器３４は、タイミング信号Ｓ１３で示されるベースバンド信号Ｓ２の１シンボル単位のクロツク信号Ｓ１に対する時間幅を検出し、この時間幅に応じてオーバーサンプリングの倍率を一時的に変更する。
【００５３】
図５において示すように、再標本化器３４はベースバンド信号Ｓ２をバツフア部２５に入力して一時格納する。また再標本化器３４はタイミング信号Ｓ１３及びクロツク信号Ｓ１をタイミング検出部２３に入力して、両者のタイミングずれを検出している。再標本化器３４は送信タイミングが早まることによるマイナス方向のタイミングずれと、送信タイミングが遅まることによるプラス方向のタイミングずれとを各々別個に管理しており、バツフア部２５に一時格納したベースバンド信号Ｓ２を検出したタイミングずれに応じた時間幅の１シンボル単位で送出する。
【００５４】
すなわち再標本化器３４は、まずベースバンド信号Ｓ２の各１シンボル単位毎について、クロツク信号Ｓ１に対する時間幅をタイミング検出部２３によつて検出する。タイミング検出部２３はクロツク信号Ｓ１及びタイミング信号Ｓ１３のパルス波をそれぞれ常時検出しており、タイミング信号Ｓ１３の各パルス波間毎にクロツク信号Ｓ１のパルス波が幾つ検出されたかを算出する。ここでタイミング信号Ｓ１３の各パルス波がベースバンド信号Ｓ２の各１シンボル単位の境界部分を示しているため、タイミング検出部２３はタイミング信号Ｓ１３のパルス波を検出してから次にパルス波を検出するまでのクロツク信号Ｓ１のパルス波の検出数を算出することで、ベースバンド信号Ｓ２の各１シンボル単位毎のクロツク信号Ｓ１に対する時間幅を得ている。タイミング検出部２３は、こうして得られた算出結果を間隔変更決定部２６に通知する。
【００５５】
間隔監視部２４は、間隔変更決定部２６並びにカウンタ２７から何も指示がない場合、初期設定通り１６倍のオーバーサンプリング倍率に応じた処理としてクロツク信号Ｓ１のパルスが１６回入力される毎に１回、トリガ信号をバツフア部２５に送出する。バツフア部２５は入力されるベースバンド信号Ｓ２を一時格納するようになされており、トリガ信号の入力に応じてベースバンド信号Ｓ２をオーバーサンプリングの倍率に応じた時間幅でなる１シンボル単位で送出する。この場合、オーバーサンプリング倍率が１６倍であるため、クロツク信号Ｓ１のパルスが１６回入力される間隔を１シンボル単位の時間幅としてベースバンド信号Ｓ２を送出する。
【００５６】
間隔変更決定部２６はタイミング検出部２３から通知される算出結果を受けて、各１シンボル単位毎にクロツク信号Ｓ１のパルス１６個分の間隔であるか否かを判定する。ここでクロツク信号Ｓ１のパルス１６個分の間隔であると判定した１シンボル単位に関して、間隔変更決定部２６は何も行わない。
一方、クロツク信号Ｓ１のパルス１６個分の間隔で無いと判定した場合、間隔変更決定部２６はクロツク信号Ｓ１のパルス１６個分の時間幅に対してベースバンド信号Ｓ２の１シンボル単位が幾つ分ずれを有しているかを算出し、算出結果をカウンタ２７又は３６に通知する。例えば送信タイミングを遅らせる必要が生じてクロツク信号Ｓ１のパルス波１７個分の時間幅でなる１シンボル単位が入力された場合、基準となる時間幅「１６」に対して検出された時間幅が「１７」であるため、タイミングずれのずれ数は「＋１」となる。また送信タイミングを早める必要が生じてクロツク信号Ｓ１のパルス波１５個分の時間幅でなる１シンボル単位が入力された場合、基準となる時間幅「１６」に対して検出された時間幅が「１５」であるため、タイミングずれのずれ数は「−１」となる。
【００５７】
間隔変更決定部２６は、このような基準の時間幅と検出した時間幅との差分でなるタイミングずれ数をカウンタ２７又は３６に供給する。ここで間隔変更決定部２６は得られた時間幅の差分でなるタイミングずれ数が正の値か負の値かによつて、タイミングずれ数を供給し分けている。例えばタイミングずれ数が正の値の場合、間隔変更決定部２６は得られたタイミングずれ数をカウンタ２７に供給する。またタイミングずれ数が負の値の場合、間隔変更決定部２６はタイミングずれ数をカウンタ３６に供給する。
【００５８】
カウンタ２７は間隔変更決定部２６から正の値でなるタイミングずれ数をカウンタ値として保持している。カウンタ２７は、このカウンタ値を間隔監視部２４に通知すると共に、間隔監視部２４からトリガ信号を１回送出したことを示す通知を受けるとカウンタ値を−１して更新する。また間隔変更決定部２６から新たにタイミングずれ数の情報が与えられると、その時点で保持しているカウンタ値に新たなタイミングずれ分を加えて更新を行う。カウンタ２７はカウンタ値を更新する度に、新たなカウンタ値を間隔監視部２４に通知する。
【００５９】
間隔監視部２４はカウンタ２７から通知されるカウンタ値に応じてオーバーサンプリングの倍率を変更するために、バツフア部２５を制御してベースバンド信号Ｓ２の１シンボル単位毎の時間幅を調節する。具体的には以下に説明するような手順によつてなされる。
間隔監視部２４にはカウンタ２７から通知されるカウンタ値に応じた所定の時間間隔が設定記憶されており、カウンタ２７からカウンタ値の通知を受けた際、当該カウンタ値に応じた時間間隔を選択する。間隔監視部２４は、こうして選択した時間間隔と、前回ベースバンド信号Ｓ２を送出する時間幅の変更を行なつてから経過した時間とを照らし合わせて、十分な時間が経過しているか否かを判別する。間隔監視部２４は十分な時間が経過している場合、クロツク信号Ｓ１のパルス波１７個分の間隔でトリガ信号を送出する。これによりバツフア部２５からは、クロツク信号Ｓ１のパルス波１７個分の時間幅でなるベースバンド信号Ｓ２の１シンボル単位が送出される。また十分な時間が経過していない場合、間隔監視部２４はカウンタ値に応じて選択された時間間隔が経過するまで待機し、経過後にクロツク信号Ｓ１のパルス波１７個分の時間間隔でトリガ信号を送出する。なお間隔監視部２４は、上述のようにカウンタ２７からの通知によつて時間幅変更を行わない場合、クロツク信号Ｓ１のパルス波１６個分の時間間隔でトリガ信号を送出する。
【００６０】
一方、カウンタ３６は間隔変更決定部２６から与えられる負の値でなるタイミングずれ数をカウンタ値として保持している。カウンタ３６は、このカウンタ値を間隔監視部３７に通知すると共に、間隔監視部３７からトリガ信号を１回送出したことを示す通知を受けるとカウンタ値を＋１して更新する。また間隔変更決定部２６から新たにタイミングずれ数の情報が与えられると、その時点で保持しているカウンタ値に新たなタイミングずれ分を加えて更新を行う。カウンタ３６はカウンタ値を更新する度に、新たなカウンタ値を間隔監視部３７に通知する。
【００６１】
間隔監視部３７はカウンタ３６から通知される負の値でなるカウンタ値に応じて、所定の時間間隔毎にカウンタ２７にトリガ信号を送出してカウンタ２７が保持するカウンタ値を「−１」する。具体的には以下に説明するような手順によつてなされる。
間隔監視部３７にはクロツク信号Ｓ１が供給されており、このクロツク信号Ｓ１を随時検出している。また間隔監視部３７はカウンタ３６から受けるカウンタ値に応じて設定する所定の時間間隔を予め記憶している。間隔監視部３７はカウンタ値を受けた際に当該カウンタ値に応じた時間間隔を上述した所定の時間間隔から選択し、クロツク信号Ｓ１のパルス波の検出回数に基づいて前にトリガ信号を送出してから経過した時間が所定の時間間隔以上である場合、トリガ信号をカウンタ２７に送出する。また所定の時間間隔以下である場合は、間隔監視部３７は所定の時間が経過するまで待機し、経過を確認した時点でトリガ信号をカウンタ２７に送出する。
カウンタ２７は間隔監視部３７からトリガ信号を受けると、内部に保持しているカウンタ値を１つ減らして更新する。この際、カウンタ２７は保持したカウンタ値が負の値になつた場合、間隔監視部２４に何も通知せずに待機状態となる。
【００６２】
再標本化器３４では、こうしてカウンタ２７又は３６でそれぞれ正の値又は負の値でなるタイミングずれ数をカウンタ値として管理しながら、この各カウンタ値をカウンタ２７でプラス方向及びマイナス方向併せてのタイミングずれを示すカウンタ値とし、これに基づいて間隔監視部２４から送出するトリガ信号によつてバツフア部２５から送出するベースバンド信号Ｓ２の各１シンボル単位の時間幅を調節する。送出されたベースバンド信号Ｓ２はオーバーサンプリング部（図示せず）に供給されて、各々の時間幅でなる１シンボル単位に応じた倍率でオーバーサンプリング処理がなされる。かくして再標本化器３４は入力されるベースバンド信号Ｓ２にクロツク信号Ｓ１に対するタイミングずれを検出した際に、一時的に１シンボル単位の時間幅を変更し、これを所定の時間間隔毎に分けて所定回数繰り返すことにより、タイミングずれを徐々に解消する。
【００６３】
再標本化器３４は、こうしたプラス方向及びマイナス方向へのタイミングずれの補正処理を、以下に説明する制御手順で行う。
図６に示すように、再標本化器３４はステツプＳＰ１で手順を開始する。手順開始後、まず再標本化器２４はステツプＳＰ２で、タイミング信号Ｓ１３のパルス波を入力待ちする。パルス波の入力を検出した場合、再標本化器２４は当該パルス波から次のパルス波を検出するまでのクロツク信号Ｓ１の入力回数を検出する。これによりクロツク信号Ｓ１に対するベースバンド信号Ｓ２の１シンボル単位毎の時間幅が得られる。
【００６４】
再標本化器３４は、ステツプＳＰ３で、検出したクロツク信号Ｓ１の入力回数と基準入力回数である１６回とからベースバンド信号Ｓ２の１シンボル単位の時間幅を算出し、この時間幅に基づいて送信タイミングにタイミングずれが生じたか否かを判別する。具体的には基準入力回数である１６回から検出したクロツク信号Ｓ１の入力回数を減算して、得られた値が０以上であるか又は０以下であるかを判別する。ここで得られた値が０である場合、再標本化器３４は送信タイミングにタイミングずれが生じていないものとして、ステツプＳＰ２に戻つて処理手順を続行する。なお、この間、間隔監視部２４は通常通り（例えば１６）の間隔でトリガ信号を送出している。また得られた値が０より大きい場合、再標本化器３４は送信タイミングに正方向のタイミングずれが生じたものとして、ステツプＳＰ４に手順を進める。一方、得られた値が０より小さい場合、再標本化器３４は送信タイミングに負方向のタイミングずれが生じたものとして、ステツプＳＰ５に手順を進める。なおステツプＳＰ２及びＳＰ３はタイミング検出部２３及び間隔変更決定部２６で独立して実行されるようになされており、他の各部の動作状態に左右されない。また他の各部は、この間、タイミング検出部２３及び間隔変更決定部２６の処理にかかわらず、各々独自に処理を行つている。
【００６５】
送信タイミングに負方向のタイミングずれが生じた場合、再標本化器３４はステツプＳＰ５で、カウンタ３６の保持するカウンタ値ＣＯ2 を、ステツプＳＰ３で得られた値分減らしてカウンタ値ＣＯ2 を更新する。この後、再標本化器３４はステツプＳＰ６で、間隔監視部３７がカウンタ３６の保持するカウンタ値に応じて設定する時間間隔分、以前マイナス方向にタイミングをずらしてから経過しているか否かを判別する。経過していなければステツプＳＰ７で、再標本化器３４は設定時間が経過するまで間隔監視部３７を待機状態とし、時間経過後にステツプＳＰ８に進む。また再標本化器３４は設定時間が経過していればステツプＳＰ８にジヤンプして、カウンタ３６の保持するカウンタ値ＣＯ2 に「＋１」して更新する。それと共に再標本化器３４は、ステツプＳＰ９で、間隔監視部３７からカウンタ２７にトリガ信号を送出し、カウンタ２７はトリガ信号の入力に応じて保持しているカウンタ値ＣＯ1 を「−１」して更新する。この後、手順はステツプＳＰ１０に進む。なおステツプＳＰ５〜ＳＰ８はカウンタ３６及び間隔監視部３７で独立して実行されるようになされており、他の各部の動作状態に左右されない。また、他の各部は、この間カウンタ３６及び間隔監視部３７での処理にかかわらず、各々独自に処理を行つている。
【００６６】
一方、送信タイミングに正方向のタイミングずれが生じた場合、再標本化器３４はステツプＳＰ４で、カウンタ２７の保持するカウンタ値ＣＯ1 を、ステツプＳＰ３で得られた値分加算して更新する。この後、再標本化器３４はステツプＳＰ１０に手順を進める。
送信タイミングに正方向のタイミングずれが生じてカウンタ値ＣＯ1 を加算して更新した（ＳＰ４）場合、及び送信タイミングに負方向のタイミングずれが生じてカウンタ値ＣＯ2 の更新及びトリガ信号の送出（ＳＰ５〜ＳＰ８）により、カウンタ値ＣＯ1 を減算して更新した（ＳＰ９）場合、再標本化器３４はステツプＳＰ１０で、カウンタ値ＣＯ1 が正の値であるか否かを判別する。カウンタ値ＣＯ1 が正の値である場合、再標本化器３４は手順を進める。またカウンタ値ＣＯ1 が負の値である場合、再標本化器３４はカウンタ値ＣＯ1 が正の値になるまでカウンタ２７を待機状態とする。
【００６７】
カウンタ値ＣＯ1 が正の値である場合、再標本化器３４はステツプＳＰ１１で、間隔監視部２４がカウンタ２７の保持するカウンタ値に応じて設定する時間間隔分、以前にトリガ信号を送出してから経過しているか否かを判別する。経過していなければステツプＳＰ１２で、再標本化器３４は設定時間が経過するまで間隔監視部２４を待機状態とし、時間経過後にステツプＳＰ１３に進む。また再標本化器３４は設定時間が経過していればステツプＳＰ１３にジヤンプして、カウンタ２４の保持するカウンタ値ＣＯ2 を「−１」して更新する。それと共に再標本化器３４は、ステツプＳＰ１４で、間隔監視部２４からバツフア部２５にクロツク信号Ｓ１で１パルス分遅らせたタイミング（Ｓ１のパルス波１７個分の時間幅）でトリガ信号を送出する。バツフア部２５はトリガ信号の入力に応じて、一時格納しているベースバンド信号Ｓ２の１シンボル単位を、クロツク信号Ｓ１のパルス波１７個分の時間幅で送出する。この後、送出されたベースバンド信号Ｓ２を入力したオーバーサンプリング部（図示せず）は、ステツプＳＰ１５で、各１シンボル単位の時間幅に応じた倍率、すなわち１６倍又は１７倍でオーバーサンプリング処理を行う。再標本化器３４は、ステツプＳＰ１６で、１回分のオーバーサンプリングの倍率を変更する処理手順を終了する。
なおステツプＳＰ４及びステツプＳＰ１０〜ＳＰ１４はカウンタ２７及び間隔監視部２４で独立して実行されるようになされており、他の各部の動作状態に左右されない。また他の各部は、この間、カウンタ２７及び間隔監視部２４での処理にかかわらず、各々独自に処理を行つている。したがつて、１回分のオーバーサンプリングの倍率の変更によつて、すべての処理が終了したことにはならない。
【００６８】
再標本化器３４は、上述したタイミングずれの補正処理によつてプラス方向及びマイナス方向へのタイミングずれを共に解消し、受信信号Ｓ６（図４）のタイミングに応じて送信タイミングを変更する場合のタイミングずれ、及びクロツク信号Ｓ１の周波数とベースバンド信号Ｓ２の周波数とが非同期であることに起因してベースバンド信号Ｓ２に生じるジツタ成分によるタイミングずれを共に低減するようになされている。
すなわち図７（Ａ）の上段に示すように、再標本化器３４は通常時、すなわちクロツク信号Ｓ１に対してベースバンド信号Ｓ２の各１シンボルタイミングがタイミングずれを生じていない場合、各１シンボル単位をクロツク信号Ｓ１のパルス波１６個分の時間幅で送出する。再標本化器３４は受信信号Ｓ６（図４）のタイミングに応じた決定によつて送信タイミングを遅らせる必要が生じた場合、またベースバンド信号Ｓ２とクロツク信号Ｓ１とが非同期であることに起因して生じるタイミング遅れが発生した場合、図７（Ａ）の下段に示すように、クロツク信号Ｓ１のパルス波１６個分とするベースバンド信号Ｓ２の１シンボル単位の時間幅を一時的にパルス波１７個分の時間幅で送出し、送信タイミングを遅らせるようにしている。
【００６９】
また図７（Ｂ）の上段に示すように、クロツク信号Ｓ１とベースバンド信号Ｓ２とが非同期であることに起因して生じるジツタ成分によつてタイミングずれが発生した場合、再標本化器３４はクロツク信号Ｓ１のパルス波１６個分とするベースバンド信号Ｓ２の１シンボル単位の時間幅を一時的にパルス波１７個分の時間幅で送出し、送信タイミングを遅らせる。また再標本化器３４は受信信号Ｓ６のタイミングに応じた決定によつて送信タイミングを早める必要が生じた場合、図７（Ｂ）の下段に示すように、これを所定間隔毎に遅れる方向で上述した周波数の非同期に起因して発生するタイミングずれと相殺して、ベースバンド信号Ｓ２を通常時のまま、クロツク信号Ｓ１のパルス波１６個分の時間幅で送出する。
【００７０】
以上の構成において、無線通信端末装置３０は復調器３１によりデイジタル信号Ｓ７の（すなわち受信信号Ｓ６の）タイミングを検出し、これに応じて復調器３１から供給する情報信号Ｓ１４により時間管理部３５を制御してベースバンド信号Ｓ２を生成するための基準クロツクとなる基準クロツク信号Ｓ１６の周波数を変更している。これにより無線通信端末装置３０はベースバンド信号Ｓ２の１シンボル単位の時間幅を一時的に変更して、送信信号Ｓ５の送信タイミングを変更している。
【００７１】
ところでベースバンド信号Ｓ２には、このように一時的に１シンボル単位の時間幅を変更した場合にジツタ成分が含まれることになる。無線通信端末装置３０は再標本化器３４によつて送信タイミングの変更を補正処理することによつて、このジツタ成分を抑制するようになされている。
すなわちベースバンド信号Ｓ２は再標本化器３４に入力され、タイミング検出部２３により１シンボル単位毎にクロツク信号Ｓ１のパルス波何個分の時間幅であるかが検出される。この検出結果は間隔変更決定部２６に通知され、クロツク信号Ｓ１に対するベースバンド信号Ｓ２のタイミングずれ数が算出される。送信タイミングを遅らせる場合に算出結果は正の値で得られ、この算出結果がカウンタ値としてカウンタ２７に保持される。このカウンタ値は間隔監視部２４に通知され、間隔監視部２４はカウンタ値に応じた時間間隔毎に１回、通常クロツク信号Ｓ１のパルス波１６個分の時間幅で、一時格納したバツフア部２５から送出しているベースバンド信号Ｓ２を１７個分の時間幅で送出させる。またこのような時間幅変更を１回行う毎に間隔監視部２４はカウンタ２７に通知を行い、カウンタ部２７は保持したカウンタ値を１つ減らす。
【００７２】
受信信号Ｓ６に応じて変更する送信タイミングが大きくタイミングを変更するような場合、すなわちクロツク信号Ｓ１のパルス波１６個分の時間幅で送出しているベースバンド信号Ｓ２の１シンボル単位を、２０個分の時間幅に一時変更する場合、このような時間幅の変更をそのまま行つて送信信号Ｓ５を送出すると、タイミングの変更速度が基地局側の追従速度を逸脱してしまうために、送信信号Ｓ５の相手側への確実な伝送が維持できなくなる場合がある。
【００７３】
無線通信端末装置３０は、遅らせる方向に送信タイミングを一時変更する際に、通常クロツク信号Ｓ１のパルス波１６個分の時間幅で送出しているベースバンド信号Ｓ２の１シンボル単位の時間幅を１７個分の時間幅に一時変更して送出することにより、タイミング変更に伴つてベースバンド信号Ｓ２に含まれるジツタ成分を抑制して送信信号Ｓ５に発生するスペクトルの歪みを低減することができると共に、基地局側の追従速度を逸脱することの無いように所定時間間隔毎に徐々に時間幅の変更を行うことにより、相手側への確実な信号伝送を維持することができる。さらに送信タイミングの大幅な変更に伴うジツタ成分の発生を考慮すること無く送信シンボル生成部２２により１シンボル単位の時間幅を変更することができる。
【００７４】
また無線通信端末装置３０は、発振器１で生成するクロツク信号Ｓ１とベースバンド信号Ｓ２とが非同期であることに起因してベースバンド信号Ｓ２に含まれるジツタ成分を、再標本化器３４により送信タイミングの変更を補正処理することによつて低減するようになされている。
すなわち送信タイミングを早める場合、間隔変更決定部２６で得られる算出結果は負の値となり、この算出結果がカウンタ値としてカウンタ３６に保持される。このカウンタ値は間隔監視部３７に通知され、間隔監視部３７はカウンタ値に応じた時間間隔毎に１回、カウンタ２７にトリガ信号を送出してカウンタ２７に保持されたカウンタ値を１減算させる。カウンタ２７はタイミングを遅らせる方向にタイミング変更するための正の値でなるカウンタ値と、このようにカウンタ３６で管理され間隔監視部３７から通知されるタイミングを早める方向にタイミング変更するためのカウンタ値とを併せて、その時点での全体的なタイミング変更量に応じてベースバンド信号Ｓ２の１シンボル単位の時間幅を変更するようにしている。
【００７５】
またカウンタ２７は全体的なタイミング変更量を示すカウンタ値がマイナスになつた場合、すなわち早める方向にタイミング変更が必要な場合、送出するベースバンド信号Ｓ２の１シンボル単位の時間幅に対して変更を加えない。
すなわちクロツク信号Ｓ１とベースバンド信号Ｓ２とが非同期であることに起因して生じるジツタ成分は、上述したようにＣＤＭＡ方式で規定されている1.2288[MHz] でベースバンド信号Ｓ２を生成するために、無線通信端末装置３０がクロツク周波数変換器３２（図４）によりクロツク信号Ｓ１から所定間隔毎にパルス波を抜き取る処理により19.8[MHz] であるクロツク信号Ｓ１を19.6608[MHz]に周波数変換することで生じる。このためベースバンド信号Ｓ２はクロツク信号Ｓ１を１６分周した周波数1.2375[MHz] に比してタイミング的に遅れた信号となつている。従つて送信タイミングの変更を行わない場合でも、クロツク信号Ｓ１からパルス波を抜き取つた所定間隔毎に遅れる方向でタイミングずれが発生することは自明となつている。
【００７６】
このためカウンタ２７は全体的なタイミング変更量を示すカウンタ値がマイナスになつた場合、クロツク信号Ｓ１からパルス波を抜き取つた所定間隔毎に遅れる方向で発生するタイミングずれを待ち、当該遅れる方向に発生するタイミングずれとカウンタ値として保持している早める方向のタイミングずれとを相殺することにより、早める方向にタイミング変更が必要な場合にベースバンド信号Ｓ２の１シンボル単位の時間幅を変更する処理を不要とすることができる。
これにより無線通信端末装置３０は、再標本化器３４によるベースバンド信号Ｓ２のオーバーサンプリング倍率を１６倍又は１７倍のみとすることができ、受信信号Ｓ６のタイミングに応じて送信タイミングの変更が必要な場合及び必要で無い場合の双方共に、ジツタ成分により送信信号Ｓ５に生じるスペクトルの歪みを低減することができる。
【００７７】
さらに無線通信端末装置３０は、基準信号として用いるクロツク信号Ｓ１を19.8[MHz] としている。ここでクロツク信号Ｓ１に要求される条件について第１〜第４までを説明する。
まず第１に無線通信端末装置で用いられる発振器１は一般に電圧制御水晶発振器であり、特に１０数[MHz] 〜２０数[MHz] のものが入手が容易である。したがつてクロツク信号を１０数[MHz] 〜２０数[MHz] とすることが望ましい。第２に無線通信端末装置では、1.2288[MHz] のベースバンド信号を送信側及び受信側で、８倍又は４倍にオーバーサンプリングすることから、最低でも1.2288[MHz] の８倍の周波数でなるクロツク信号が必要である。第３にＡＮＳＩ規格のＪ−ＳＴＤ−008 によつて、ＣＤＭＡ（Code Division Multiple Access ）チヤネルのチヤネル間隔が５０[kHz] であることが定められているため、チユーニング用のクロツク信号として５０[kHz] の整数倍でなる周波数の信号が必要である。第４にＡＮＳＩ規格のＪ−ＳＴＤ−008 はアナログ通信システムにも対応し得るように考慮されている。ここでアナログ通信システムの代表的な一形態であるＡＭＰＳ（Advanced Mobile Phone System）ではチヤネル間隔が３０[kHz] である。したがつてチユーニング用のクロツク信号の周波数は３０[kHz] の整数倍であることが望ましい。
【００７８】
しかし以上の条件を全て満たすことは困難であるため、何方かの条件を削ることとし、ここでは第２の条件である1.2288[MHz] の８倍の周波数であることを条件から外す。但し、上述の構成及び方法によつてベースバンド信号Ｓ２の整数倍の周波数に近似した周波数のクロツク信号Ｓ１を用いて、ベースバンド信号Ｓ２の整数倍の周波数でなる基準クロツク信号Ｓ１５を擬似的に生成することができるようになされているため、大きな問題とはならない。
すなわち第２の条件によるベースバンド信号Ｓ２の整数倍の周波数で、かつ第１の条件を満たすとすると、19.6608[MHz]の周波数でなる信号となるが、この周波数では第３の条件を満たすことが出来ない。このため、19.6608[MHz]の周波数に近似した周波数でかつ第３及び第４の条件を満たすものとして、19.8[MHz] の周波数でなる信号が発振器１で生成するクロツク信号Ｓ１として適当であることがわかる。無線通信端末装置３０では、このようにベースバンド信号Ｓ２と非同期な周波数に起因して発生するジツタ成分を再標本化器３４で低減し得るようになされているため、基準信号として生成するクロツク信号をクロツク信号Ｓ１のみとして構成を簡易にすることができる。
【００７９】
以上の構成によれば、受信信号Ｓ６から検出するタイミングに応じて遅らせる方向に送信タイミングを一時変更する際に、ベースバンド信号Ｓ２の１シンボル単位の時間幅をクロツク信号Ｓ１のパルス波１７個分の時間幅に一時変更して送出することにより、タイミング変更に伴つてベースバンド信号Ｓ２に含まれるジツタ成分を抑制して送信信号Ｓ５に発生するスペクトルの歪みを低減することができると共に、基地局側の追従速度を逸脱することの無いように所定時間間隔毎に徐々に時間幅の変更を行うことにより、相手側への確実な信号伝送を維持することができる。
【００８０】
また全体的なタイミング変更量がマイナスになつた場合、クロツク信号Ｓ１からパルス波を抜き取つた所定間隔毎に遅れる方向で発生するタイミングずれを待ち、当該遅れる方向に発生するタイミングずれとカウンタ値として保持している早める方向に必要なタイミングずれとを相殺することにより、早める方向にタイミング変更が必要な場合にベースバンド信号Ｓ２の１シンボル単位の時間幅を変更する処理を不要にし得るため、ベースバンド信号Ｓ２のオーバーサンプリング倍率を１６倍又は１７倍のみとすることができ、受信信号Ｓ６のタイミングに応じて送信タイミングの変更が必要な場合及び必要で無い場合の双方共に、ジツタ成分により送信信号Ｓ５に生じるスペクトルの歪みを低減することができ、さらにこのように周波数が非同期であることに起因して発生するジツタ成分を低減し得るようにしたことによつて生成するクロツク信号をクロツク信号Ｓ１のみとして構成を簡易にすることができる。
【００８１】
かくするにつき、簡易な構成で、受信信号Ｓ６のタイミングに応じて送信タイミングの変更が必要な場合及び必要で無い場合の双方共にジツタ成分により送信信号Ｓ５に生じるスペクトルの歪みを低減することができ、また相手側への確実な信号伝送を維持し得る無線通信端末装置３０を実現することができる。
【００８２】
（３）他の実施例
なお上述の第１実施例においては、クロツク信号Ｓ１と同期したベースバンド信号Ｓ２を送信シンボル生成部２２で生成し、これを送信フイルタ２０でオーバーサンプリング処理及びフイルタリング処理する場合について述べたが、本発明はこれに限らず、例えばクロツク信号と同期した周波数の近傍の周波数であるならば、クロツク信号と非同期な周波数でなるベースバンド信号を生成してもよい。この場合も非同期な周波数により生じるジツタ成分を送信フイルタによる送信タイミングの調整によつて低減することができ、実施例と同様の効果を得ることができる。
【００８３】
また上述の第１実施例においては、送信フイルタ２０による１６倍オーバーサンプリングにより得られたパルス信号Ｓ３をクロツク信号Ｓ１の周波数に基づいて演算処理することでフイルタリング処理し、そのままの周波数で出力するデイジタルフイルタ５を設けた場合について述べたが、本発明はこれに限らず、例えば１６倍オーバーサンプリングの倍率に応じた周波数のクロツク信号を４分周してデイジタルフイルタに入力し、これに基づくタイミング時に限り演算処理することでフイルタリング処理とし、４倍オーバーサンプリングにより得られた信号と同等の周波数でなる量子化信号として出力するようにしてもよい。これにより再標本化器のオーバーサンプリング倍率に係わらずに任意のオーバーサンプリング倍率で生成した信号として出力することができる。なお、この場合も実施例と同様の効果が得られる。
【００８４】
また上述の第２実施例においては、発振器１で生成したクロツク信号Ｓ１を送信フイルタ３３に直接入力する場合について述べたが、本発明はこれに限らず、例えばクロツク信号を所定の倍率に分周した後に入力するようにしてもよい。
【００８５】
さらに上述の第２実施例においては、クロツク周波数変換器３２で生成する19.6608[MHz]の周波数でなる基準クロツク信号Ｓ１５をＡ／Ｄコンバータ１１、復調器３１、受信シンボル処理部１３及び時間管理部３４に直接供給する場合について述べたが、本発明はこれに限らず、例えば基準クロツク信号を所定の倍率に分周した後に各部に供給するようにしてもよい。
【００８６】
また上述の第２実施例においては、発振器１で19.8[MHz] でなるクロツク信号Ｓ１を生成し、これをクロツク周波数変換器３２によつてベースバンド信号Ｓ２に同期した19.6608[MHz]の周波数に変換して基準クロツク信号Ｓ１５を生成する場合について述べたが、本発明はこれに限らず、例えば発振器１で19.6608[MHz]の周波数でなるクロツク信号を生成するようにしてもよい。この場合、クロツク信号をベースバンド信号と同期した周波数に変換する必要が無くなるため、クロツク周波数変換器３２を設けること無く、構成を簡易にし得る。なお、この場合は第１実施例と同様の効果が変わらず得られる。
【００８７】
また上述の第１及び第２実施例においては、再標本化器２１又は３４によつてベースバンド信号Ｓ２を１６倍オーバーサンプリングする場合について述べたが、本発明はこれに限らず、例えば４倍オーバーサンプリングするようにしてもよい。すなわち本発明の効果はオーバーサンプリングする倍率に係わらず、得ることができる。
【００８８】
また上述の第２実施例においては、カウンタ２７でベースバンド信号Ｓ２のクロツク信号Ｓ１に対するタイミングずれ数をカウンタ値として管理すると共に、間隔監視部２４によつてバツフア部２５から送出する１シンボル単位毎の時間幅を変更した際に、間隔監視部２４からカウンタ２７に通知してカウンタ２７が保持するカウンタ値を更新する場合について述べたが、本発明はこれに限らず、例えば再標本化器３４の図示しない後段に設けられているオーバーサンプリング部にも同様に当該通知信号を供給してタイミング変更処理が実行されたことを通知し、この場合にオーバーサンプリング部によつてサンプリング倍率を変更するようにしてもよい。すなわち当該通知信号をオーバーサンプリング部によるサンプリング倍率を変更するためのトリガ信号として用いてもよい。
【００８９】
また上述の第１及び第２実施例においては、入力されるベースバンド信号Ｓ２を随時格納するバツフア部２５の場合について述べたが、本発明はこれに限らず、例えば１シンボル単位毎に格納して送出するようなバツフア部を設けても良く、また複数のシンボル単位を格納するＦＩＦＯバツフアを設けてもよい。
【００９０】
さらに上述の第１及び第２の実施例においては、予めタイミングずれ量に応じた時間間隔を記憶してあるカウンタ２７及び３６を設けた場合について述べたが、本発明はこれに限らず、例えば一律な時間間隔を設定してもよい。すなわち無線通信端末装置の特性に応じて設定するならば、当該時間間隔をどのように設定してもよい。
【００９１】
【発明の効果】
上述のように本発明によれば、送信対象であるデータ信号における実際の１シンボル単位の境界を示すパルス波でなるタイミング信号と、当該タイミング信号の理論値に対して１／ｎの周期を有するパルス波でなる基準信号とを比較し、当該タイミング信号の各パルス間に検出された当該基準信号のパルス数と上記ｎとの差分に基づいて当該基準信号に対する当該データ信号のタイミングずれ量を算出するタイミング差分算出手段と、基準信号を基に生成されデータ信号を送出する際の１シンボル毎の送出タイミングを示すトリガ信号の間隔を、タイミングずれ量に基づいて調節するトリガ間隔調節手段と、データ信号を格納して保持すると共に、格納したデータ信号をトリガ信号に基づいた送出タイミングで送出するデータ格納手段と、送出されたデータ信号をトリガ信号の間隔に基づく倍率で再標本化する再標本化手段とを設け、トリガ間隔調節手段は、タイミングずれ量の算出結果を受け、当該タイミングずれ量が１クロツクタイミング以上であった場合、トリガ信号の間隔を一時的に１クロツクタイミング分狭め又は広げるトリガ間隔変更処理を所定時間間隔毎に繰り返すことによりタイミングずれ量を１クロツクタイミングづつ解消する。これにより、基準信号に対してデータ信号を送信する際の１シンボル毎の送出タイミングにタイミングずれが生じた場合、タイミングずれ量に応じて１クロツクタイミングづつデータ信号の送出タイミングを狭め又は広げるトリガ間隔変更処理を繰り返して送出タイミングを徐々に補正することができるので、タイミングずれによりデータ信号に含まれるジツタ成分を時間方向に分散させることができ、かくするにつき、確実な信号伝送を維持しながら、ジツタ成分に起因するスペクトルの歪みを容易に低減し得る。
【００９２】
また本発明によれば、所定周期のパルス波でなる第１の基準信号を生成して送出する信号生成手段と、受信信号を元の情報信号に復調すると共に当該受信信号に含まれる受信タイミング信号を検出し、当該受信タイミング信号と第１の基準信号との比較結果に基づいて制御信号を送出する信号復調手段と、第１の基準信号及び制御信号の入力を受け、当該第１の基準信号を分周して第２の基準信号を生成するときの分周比を当該制御信号に応じて変更するタイミング管理手段と、第２の基準信号に基づいてベースバンド信号を生成する送信シンボル生成手段と、ベースバンド信号における１シンボル単位の境界を示すパルス波でなるタイミング信号と第1の基準信号とを比較し、当該タイミング信号が当該第１の基準信号に対して１クロツクタイミング以上でなるタイミングずれを有していることを検出した場合に、当該タイミングずれ量を算出するタイミング差分算出手段と、第１の基準信号を基に生成されベースバンド信号を送出する際の１シンボル毎の送出タイミングを示すトリガ信号の間隔を、タイミングずれ量に基づいて調節するトリガ間隔調節手段と、ベースバンド信号を格納して保持すると共に、格納したベースバンド信号をトリガ信号に基づいた送出タイミングで送出するデータ格納手段と、送出されたベースバンド信号をトリガ信号の間隔に基づく倍率で再標本化する再標本化手段とを設け、トリガ間隔調節手段は、タイミングずれ量を算出した結果、第１の基準信号に対してタイミング信号が進んでいた場合、トリガ信号の間隔を一時的に１クロツクタイミング分広げるトリガ間隔変更処理を第１の時間間隔毎に繰り返してタイミングずれ量を１クロツクタイミングづつ解消する。これにより、第１の基準信号に対してタイミング信号が進んでいた場合、タイミングずれ量に応じて１クロツクタイミングづつデータ信号の送出タイミングを狭め又は広げるトリガ間隔変更処理を繰り返して送出タイミングを徐々に補正することができるので、タイミングずれによりデータ信号に含まれるジツタ成分を時間方向に分散させることができ、かくするにつき簡易な構成で、確実な信号伝送を維持しながら、ジツタ成分に起因するスペクトルの歪みをより容易に低減し得る。
【図面の簡単な説明】
【図１】本発明の第１実施例による送信フイルタ及び周辺構成を示すブロツク図である。
【図２】第１実施例による送信タイミングの調整手順を説明するために供するタイムチヤートである。
【図３】第１実施例による再標本化器の内部構成を示すブロツク図である。
【図４】本発明の第２実施例による無線通信端末装置の構成を示すブロツク図である。
【図５】第２実施例による再標本化器の内部構成を示すブロツク図である。
【図６】第２実施例による送信タイミングの制御手順を示すフローチヤートである。
【図７】第２実施例による送信タイミングの調整手順を説明するために供するタイムチヤートである。
【図８】従来の送信フイルタ及び周辺構成を示すブロツク図である。
【図９】送信フイルタによる信号処理の説明に供する略線図である。
【図１０】ＣＤＭＡ方式による無線通信端末装置の構成を示すブロツク図である。
【図１１】復調器の内部構成を示すブロツク図である。
【符号の説明】
１……発振器、２、２０、３３……送信フイルタ、３、２２……送信シンボル生成部、４、２１、３４……再標本化器、５……デイジタルフイルタ、６……Ｄ／Ａコンバータ、１０、３０……無線通信端末装置、１１……Ａ／Ｄコンバータ、１２、３１……復調器、１３……受信シンボル処理部、１４……送信用クロツク生成部、１５、１６、１７……復調部、１８……同期捕捉／追跡回路、１９……信号合成部、２３……タイミング検出部、２４、３７……間隔監視部、２５……バツフア部、２６……間隔変更決定部、２７、３６……カウンタ、３２……クロツク周波数変換器、３５……時間管理部。
【図１】
0003849891.tif 000004
【図３】
0003849891.tif 000005
【図２】
0003849891.tif 000006
【図４】
0003849891.tif 000007
【図５】
0003849891.tif 000008
【図６】
0003849891.tif 000009
【図７】
0003849891.tif 000010
【図８】
0003849891.tif 000011
【図９】
0003849891.tif 000012
【図１０】
0003849891.tif 000013
【図１１】
0003849891.tif 000014